(57)【要約】【課題】流し台用収納部品取付け構造の生産性、意匠性、耐久性および安定性を高めることにある。【解決手段】流し台のＳＵＳ３００系ステンレス鋼製天板１に塑性加工によって形成したシンク１ａの内側に収納部品３を着脱可能に取り付ける取付け構造であって、前記収納部品３に永久磁石５を設け、その永久磁石５の磁力によって前記収納部品３を前記シンク１ａの内側に吸着固定してなる流し台用収納部品取付け構造である。【選択図】図１
2005143738.tif 000002
【特許請求の範囲】
【請求項１】
流し台のＳＵＳ３００系ステンレス鋼製天板（１）に塑性加工によって形成したシンク（１ａ）の内側に収納部品（３）を着脱可能に取り付ける取付け構造であって、
前記収納部品に永久磁石（５）を設け、その永久磁石の磁力によって前記収納部品を前記シンクの内側に吸着固定してなる、流し台用収納部品取付け構造。
【請求項２】
流し台のＳＵＳ３００系ステンレス鋼製天板（１）に収納部品（４，７）を着脱可能に取り付ける取付け構造であって、
前記天板にＳＵＳ４００系ステンレス鋼製吸着部材（６）を固着するとともに、前記収納部品に永久磁石（５）を設け、その永久磁石の磁力によって前記収納部品を前記吸着部材に吸着固定してなる、流し台用収納部品取付け構造。
【発明の詳細な説明】
【技術分野】
【０００１】
この発明は、流し台のＳＵＳ３００系ステンレス鋼製天板に用いて好適な流し台用収納部品取付け構造に関するものである。
【背景技術】
【０００２】
流し台の天板には一般にＳＵＳ３００系の一つであるＳＵＳ３０４ステンレス鋼板が用いられており、そのようなＳＵＳ３０４ステンレス鋼製天板のシンクの内側に流し台用収納部品としての洗剤かごを取り付けるための従来の取付け構造は、例えば図５に示すように、流し台の天板１のシンク１ａの上端フランジ部１ｂにネジを介してピン２を立てて、そのピン２に洗剤かご３を引っ掛けるものが主流であった。
【０００３】
また、ＳＵＳ３０４ステンレス鋼製天板のバックガードに流し台用収納部品としての収納かごを取り付けるための従来の取付け構造も、例えば図６に示すように、天板１のバックガード１ｃにピン２を設けて、そのピン２に収納かご４を引っ掛けるものが主流であった。
【０００４】
さらに、従来、軟質プラスチック等の吸盤を使用した収納部品（洗剤入れ等）の取付け構造もあった。
【発明の開示】
【発明が解決しようとする課題】
【０００５】
しかしながら、ピン２を立ててそこに洗剤かご３や収納かご４を引っ掛けるものは、ピン２の取付け作業（防水処理、ネジ止め等）が必要で生産性が低いという問題があった。また、ピン２が立っていることで意匠性が損なわれるとともにピン２の周囲の清掃に不便であるという問題もあった。
【０００６】
一方、軟質プラスチック等の吸盤を使用したものでは、耐久性及び安定性に欠けるという問題があった。
【０００７】
ところで、流し台の天板に一般に用いられているＳＵＳ３０４を含むＳＵＳ３００系ステンレス鋼材は、通常は非磁性を示すが、冷間で強加工すると磁性を示す。またＳＵＳ４００系ステンレス鋼材は、一般に強磁性を示す。この発明は、かかるステンレス鋼材の性質に鑑みて、流し台用収納部品取付け構造の生産性、意匠性、耐久性および安定性を高めることを目的としたものである。
【課題を解決するための手段】
【０００８】
請求項１記載のこの発明の流し台用収納部品取付け構造は、流し台のＳＵＳ３００系ステンレス鋼製天板に塑性加工によって形成したシンクの内側に収納部品を着脱可能に取り付ける取付け構造であって、前記収納部品に永久磁石を設け、その永久磁石の磁力によって前記収納部品を前記シンクの内側に吸着固定してなるものである。
【０００９】
また、請求項２記載のこの発明の流し台用収納部品取付け構造は、流し台のＳＵＳ３００系ステンレス鋼製天板に収納部品を着脱可能に取り付ける取付け構造であって、前記天板にＳＵＳ４００系ステンレス鋼製吸着部材を固着するとともに、前記収納部品に永久磁石を設け、その永久磁石の磁力によって前記収納部品を前記吸着部材に吸着固定してなるものである。
【発明の効果】
【００１０】
かかる請求項１記載の流し台用収納部品取付け構造によれば、流し台のＳＵＳ３００系ステンレス鋼製天板の上面部分は磁性を示さないが、その天板に強加工である塑性加工によって形成したシンク（特に側面）は磁性を示すようになっているので、シンクには永久磁石がその磁力によって吸着されるようになっており、この性質を利用して、天板のシンク内に、収納部品に設けた永久磁石の磁力で収納部品を吸着固定するから、ステンレス鋼製の天板へのピンの取付け作業（防水処理、ネジ止め等）を不要とし得て生産性を高めることができ、また天板からピンを排除し得て意匠性を高めるとともに清掃を容易にすることができ、磁力吸着ゆえ収納部品の着脱が容易なのでこの点でも清掃を容易にすることができ、さらに、ステンレス鋼製のシンクそれ自体と永久磁石とを利用するので耐久性及び安定性を確保することができる。
【００１１】
また請求項２記載の流し台用収納部品取付け構造によれば、流し台のＳＵＳ３００系ステンレス鋼製天板の上面部分は磁性を示さないが、その天板の奥側に立ち上がったバックガード等にＳＵＳ４００系ステンレス鋼製吸着部材を固着すれば、ＳＵＳ４００系ステンレス鋼は磁性を示すので、そのＳＵＳ４００系ステンレス鋼製の吸着部材には永久磁石がその磁力によって吸着され、この性質を利用して、天板のバックガード等に両面テープ等で固着した吸着部材に収納部品に設けた永久磁石の磁力で収納部品を吸着固定するから、ステンレス鋼製の天板へのピンの取付け作業（防水処理、ネジ止め等）に代えて吸着部材の固着作業だけとし得て生産性を高めることができ、また天板からピンを排除し得て意匠性を高めるとともに清掃を容易にすることができ、磁力吸着ゆえ収納部品の着脱が容易なのでこの点でも清掃を容易にすることができ、さらに、ステンレス鋼製の吸着部材と永久磁石とを利用するので耐久性及び安定性を確保することができる。
【発明を実施するための最良の形態】
【００１２】
以下に、この発明の実施の形態を実施例によって、図面に基づき詳細に説明する。ここに、図１は、この発明の流し台用収納部品取付け構造の第１および第２実施例を示す斜視図、図２（ａ）は、上記第１実施例の流し台用収納部品取付け構造に用いる収納部品としての洗剤かご３を示す斜視図、図２（ｂ）は、その第１実施例の流し台用収納部品取付け構造に用いる洗剤かご３を示す側面図であり、図中従来例と同様の部分はそれと同一の符号にて示す。
【００１３】
この第１実施例の流し台用収納部品取付け構造は、図１に示すように、流し台の、ＳＵＳ３００系としてのＳＵＳ３０４ステンレス鋼製の天板１に塑性加工（プレス絞り加工）によって形成したシンク１ａの、塑性加工度が特に高いため特に強い磁性を示す凹部１ｄの内側に、収納部品としての洗剤かご３を着脱可能に取り付ける取付け構造であり、この実施例では、図２に示すように、洗剤かご３を、シンク１ａの全周に設けた上端フランジ部１ｂのうち上記凹部１ｄに沿う部分にその洗剤かご３の上端枠部３ａが乗って引っ掛かるように形成し、その洗剤かご３の、シンク１ａの凹部１ｄの奥側面に向く背面にシンク内側面形状に合わせた板材３ｂを固定し、その板材３ｂにそれと同形状の、永久磁石としてのプラスチックマグネット５を接着してある。
【００１４】
このように構成した洗剤かご３を、この第１実施例では天板１のシンク１ａの凹部１ｄの内側に配置して、その凹部１ｄに沿う上端フランジ部１ｂに洗剤かご３の上端枠部３ａを乗せて引っ掛け、洗剤かご３の背面の板材３ｂに接着したプラスチックマグネット５を、シンク１ａの凹部１ｄの奥側面にそのマグネット５の磁力によって吸着固定して、シンク側面に洗剤かご３を密着させ、洗剤かご３の前方向への倒れを防止する。
【００１５】
なお、上記第１実施例ではシンク１ａの上端フランジ部１ｂに洗剤かご３の枠部３ａを引っ掛けているが、その一変形例として、シンク１ａの底部に洗剤かご３の下端部の脚が当たるようにしても良く、その場合は、上端フランジ部１ｂに洗剤かご３の枠部３ａを引っ掛ける構造は不要である。
【００１６】
かかる第１実施例およびその変形例の流し台用収納部品取付け構造によれば、流し台のＳＵＳ３０４ステンレス鋼製の天板１の上面部分は磁性を示さないが、その天板１に強加工である塑性加工によって形成したシンク１ａの特に凹部１ｄの奥側面は強い磁性を示すようになっているので、シンク１ａの凹部１ｄの奥側面には永久磁石がその磁力によって吸着されるようになっており、この性質を利用して、天板のシンク１ａの凹部１ｄ内に、洗剤かご３に設けた永久磁石としてのプラスチックマグネット５の磁力で洗剤かご３を吸着固定するから、ステンレス鋼製の天板１へのピンの取付け作業（防水処理、ネジ止め等）を不要とし得て生産性を高めることができ、また天板１からピンを排除し得て意匠性を高めるとともに清掃を容易にすることができ、磁力吸着ゆえ洗剤かご３の着脱が容易なのでこの点でも清掃を容易にすることができ、さらに、ステンレス鋼製のシンク１ａそれ自体とプラスチックマグネット５とを利用する構造であるので耐久性及び安定性を確保することができる。
【００１７】
図３（ａ）は、上記第２実施例の流し台用収納部品取付け構造に用いる収納部品としての収納かご４を示す斜視図、図３（ｂ）は、その第２実施例の流し台用収納部品取付け構造に用いる収納かご４を示す側面図である。
【００１８】
この第２実施例の流し台用収納部品取付け構造は、これも図１に示すように、流し台の、ＳＵＳ３００系としてのＳＵＳ３０４ステンレス鋼製の天板１の奥側に立ち上がったバックガード１ｃに収納部品としての収納かご４を着脱可能に取り付ける取付け構造であり、この実施例では、図３に示すように、収納かご４の下端部に脚４ａを形成し、その収納かご４の、バックガード１ｃに向く背面に板材４ｂを固定し、その板材４ｂにそれと同形状の、永久磁石としてのプラスチックマグネット５を接着してある。
【００１９】
またこの第２実施例では、天板１の奥側のバックガード１ｃの、収納かご４に接着したプラスチックマグネット５に対向する高さの位置に、天板１と同意匠（研磨仕様）の、ＳＵＳ４００系としてのＳＵＳ４３０ステンレス鋼製の、吸着部材としての吸着板６を両面テープ等で貼付け固定する。
【００２０】
そして、収納かご４を、この第２実施例では天板１上に載置して、その収納かご４の背面の板材４ｂに接着したプラスチックマグネット５を、天板１の奥側のバックガード１ｃに貼付け固定した吸着板６にそのマグネット５の磁力によって吸着固定して、バックガード１ｃに収納かご４を密着させ、収納かご４の前方向への倒れを防止する。
【００２１】
なお、上記第２実施例では収納かご４を固定しているが、その一変形例として、図４に示すように、収納部品としてのまな板立て７の下端部に脚７ａを形成するとともに、そのまな板立て７の、バックガード１ｃに向く背面に板材７ｂを固定し、その板材７ｂにそれと同形状のプラスチックマグネット５を接着しても良い。
【００２２】
かかる第２実施例およびその変形例の流し台用収納部品取付け構造によれば、流し台のＳＵＳ３０４ステンレス鋼製の天板１の上面部分は磁性を示さないが、その天板１の奥側に立ち上がったバックガード１ｃにＳＵＳ４３０ステンレス鋼製の吸着板６を固着しており、ＳＵＳ４００系ステンレス鋼は磁性を示すので、そのＳＵＳ４３０ステンレス鋼製の吸着板６には永久磁石がその磁力によって吸着され、この性質を利用して、天板１のバックガード１ｃに両面テープ等で固着した吸着板６に収納かご４やまな板立て７に設けたプラスチックマグネット５の磁力でそれら収納かご４やまな板立て７を吸着固定するから、ステンレス鋼製の天板１へのピンの取付け作業（防水処理、ネジ止め等）に代えて吸着板６の固着作業だけとし得て生産性を高めることができ、また天板１からピンを排除し得て意匠性を高めるとともに清掃を容易にすることができ、磁力吸着ゆえ収納かご４やまな板立て７の着脱が容易なのでこの点でも清掃を容易にすることができ、さらに、ステンレス鋼製の吸着板６とプラスチックマグネット５とを利用する構造であるので耐久性及び安定性を確保することができる。
【００２３】
以上、図示例に基づき説明したが、この発明は上述の例に限定されるものでなく、特許請求の範囲の記載範囲内で適宜変更し得るものであり、例えば、収納部品は上記例以外のものでもよく、また収納部品の配置も所要に応じて上記例の位置以外へも適宜変更することができる。
【産業上の利用可能性】
【００２４】
かくしてこの発明の流し台用収納部品取付け構造によれば、ステンレス鋼製の天板へのピンの取付け作業（防水処理、ネジ止め等）を不要とし得て生産性を高めることができ、また天板からピンを排除し得て意匠性を高めるとともに清掃を容易にすることができ、磁力吸着ゆえ収納部品の着脱が容易なのでこの点でも清掃を容易にすることができ、さらに、ステンレス鋼製のシンクそれ自体やステンレス鋼製の吸着部材と永久磁石とを利用するので耐久性及び安定性を確保することができる。
【図面の簡単な説明】
【００２５】
【図１】この発明の流し台用収納部品取付け構造の第１および第２実施例を示す斜視図である。
【図２】（ａ）は、上記第１実施例の流し台用収納部品取付け構造に用いる収納部品としての洗剤かごを示す斜視図、（ｂ）は、その第１実施例の流し台用収納部品取付け構造に用いる洗剤かごを示す側面図である。
【図３】（ａ）は、上記第２実施例の流し台用収納部品取付け構造に用いる収納部品としての収納かごを示す斜視図、（ｂ）は、その第２実施例の流し台用収納部品取付け構造に用いる収納かごを示す側面図である。
【図４】上記第２実施例の流し台用収納部品取付け構造の一変形例に用いるまな板立てを示す側面図である。
【図５】従来の流し台用収納部品取付け構造の一例を示す斜視図である。
【図６】従来の流し台用収納部品取付け構造の他の一例を示す側面図である。
【符号の説明】
【００２６】
１  天板
１ａ  シンク
１ｂ  上端フランジ部
１ｃ  バックガード
１ｄ  凹部
２  ピン
３  洗剤かご
３ａ  枠部
３ｂ  板材
４  収納かご
４ａ  脚
４ｂ  板材
５  プラスチックマグネット
６  吸着板
７  まな板立て
７ａ  脚
７ｂ  板材
【図１】
2005143738.tif 000003
【図２】
2005143738.tif 000004
【図３】
2005143738.tif 000005
【図４】
2005143738.tif 000006
【図５】
2005143738.tif 000007
【図６】
2005143738.tif 000008